(57)【特許請求の範囲】
【請求項１】
発信相手からの着信に対して応答する着信応答手段と、
発信相手へのメッセージを記憶する記憶手段と、
マイクからの入力パターンを測定する測定手段と、
前記入力パターンの変化を演算する演算手段と、を備え、
前記演算手段による演算結果が予め設定された閾値以上である際に着信があった場合、前記着信応答手段は前記記憶手段に記憶されたメッセージを発信相手に送出することを特徴とする携帯電話装置。
【請求項２】
請求項１に記載の携帯電話装置において、
前記携帯電話装置は、自身の移動速度を検出する検出手段を備え、
前記着信応答手段は、前記演算手段による演算結果が予め設定された閾値未満であっても、前記検出手段により検出された移動速度が予め設定された閾値以上である際に着信があった場合、前記記憶手段に記憶されたメッセージを発信相手に送出することを特徴とする記載の携帯電話装置。
【発明の詳細な説明】
【０００１】
【発明の属する技術分野】
本発明は携帯電話装置に係り、特に、携帯電話装置に着信があったときに、使用者が車両などを運転中であったり、携帯電話等の使用が制限されている場所に居たりして、直ちに発信相手と通話しづらい場合に、こうした状況を携帯電話装置が自動的に判別して、着信時にこれを容易に発信相手に知らせることができるようにした携帯電話装置に関する。
【０００２】
【従来の技術】
現在の携帯電話装置では、着信があるとその使用者は、電話にでなければならないわけであるが、必ずしも直ちに電話にでられるというわけではない。特に、使用者が車両などを運転中であるような場合は、安全上の問題からも直ちに電話にでることはできない。従来においても、このような場合に備えて、電話を保留にする機能がある。これは、直ちに電話を受けられない場合に、保留ボタンを押下することにより、相手に対し直ちに応答できない旨のメッセージを、基地局を通じて発信相手に通知するものである。
【０００３】
しかしながら、このような機能だけでは、使用者がいかなる理由により電話を保留にしているかを、発信相手に通知することができない。すなわち、発信相手は、使用者が携帯電話装置の使用が制限されている場所に居て、そこから移動中なのか、現在別の用件により電話にでられないのか、または、車両などを運転中で停車するまで電話にでられないのかを、知ることができない。したがって、状況によっては保留の時間が長時間に及んで、発信相手側から電話を切ってしまうことも考えられる。
【０００４】
【発明が解決しようとする課題】
上記したように、従来技術においては、携帯電話装置に着信があったとき、その使用者が直ちに電話にでられない場合に、その状況を発信相手に通知する手段がなく、また、発信相手も、携帯電話装置の使用者の状況を知ることができない、という不都合があった。
【０００５】
また、車両などを運転中における携帯電話使用時の事故原因としては、通話中よりも、発着信するために携帯電話装置を探している最中の事故の方が多いというデータもある。従来の装置では、特にこのような状況における使い勝手の向上に、何ら配慮がなされていなかった。
【０００６】
さらに、携帯電話装置は、携帯時の使用例をみると保管場所としては、鞄の中というのが大半を占めている。したがって、着信時に、直ちに電話に出られない状況にあるにもかかわらず、いちいち鞄の中から携帯電話装置を取り出し、保留ボタンを押下しなくてはならないなど、このような状況における使い勝手の向上にも何ら配慮がなされていなかった。
【０００７】
本発明は、上記の事情に着目してなされたもので、その目的とするところは、携帯電話装置の使用者が直ちに電話にでられない状況下にある場合、使用者が手動で応答方法を選択することなく、携帯電話装置が自動的に使用者のおかれた状況を判別して、着信の際にその状況を発信相手に通知することができる携帯電話装置を提供することにある。
【０００８】
【課題を解決するための手段】
上記の目的を達成するために、本発明による携帯電話装置の１つの発明では、
発信相手からの着信に対して応答する着信応答手段と、
発信相手へのメッセージを記憶する記憶手段と、
マイクからの入力パターンを測定する測定手段と、
前記入力パターンの変化を演算する演算手段と、を備え、
前記演算手段による演算結果が予め設定された閾値以上である際に着信があった場合、前記着信応答手段は前記記憶手段に記憶されたメッセージを発信相手に送出する。
【００１７】
【発明の実施の形態】
以下、本発明の実施の形態を、図面を用いて説明する。
図１〜図７は本発明の第１実施形態に係り、図１は本実施形態における携帯電話装置と無線送信装置との関係を示す説明図、図２は携帯電話装置の内部の構成図、図３は携帯電話装置の外観の１例を示す図である。
【００１８】
図１に示すように、携帯電話装置１は自動車６１の中にあり、自動車６１内に取り付けられた無線送信装置２からの信号によって、携帯電話装置１は、自身が自動車６１内にあることを認識するようになっている。
【００１９】
各無線基地局５０（ここでは無線基地局５０ａ，５０ｂ，５０ｃ）は、有線回線７０を介して交換局８０と接続されている。交換局８０は、複数の無線基地局５０ａ，５０ｂ，５０ｃを配下に治め、自動車６１が移動するに従って各無線基地局のカバーしている無線電搬エリア５１ａ，５１ｂ，５１ｃを通過するごとに、位置登録を行うようになっている。
【００２０】
図２において、無線基地局５０から送られた無線通信信号は、携帯電話装置１のアンテナ３を介して無線送受信回路４に入力され、中間周波信号に変換される。そして、この受信中間周波信号は、デジタル変復調回路５によりデジタル復調され、デジタル復調された受信信号は、誤り訂正符号復号回路（ＣＨ−ＣＯＤ）６で復号化される。ここで、誤り訂正符号復号回路６で復号化され出力される信号には、デジタル通話信号とデジタル制御信号とがあり、このうちデジタル制御信号は、制御回路１０に供給され識別される。一方、デジタル通話信号は、音声符号復号回路（ＳＰ−ＣＯＤ）７で復号化処理されて、アナログ通話信号に戻された後、受話器（スピーカ）８から出力される。
【００２１】
これに対し、送話音声は、送話器（マイク）９で送話信号に変換された後、音声符号復号回路７で符号化によりデジタル送話信号に変換される。このデジタル送話信号は、制御回路１０で生成されるデジタル制御信号と共に誤り訂正符号復号回路６で符号化された後、デジタル変復調回路５に入力され、直交変調信号に変調される。そして、変調信号は、無線送受信回路４で所定の無線チャネルの高周波信号に変換された後、アンテナ３から無線基地局５０に送信される。
【００２２】
受信回路４１は、図４に示す無線送信装置２からの制御信号を受信し、制御回路１０に応答モードを切り替えるための信号を送る。また、入力器１３は、図５の説明で述べる識別情報３４の変更操作などに用いる。さらに、入力器１３のファンクションキー１６は、手動で応答モードを切り替えるなどの操作に用いる。
【００２３】
ところで、上記の制御回路１０は、マイクロコンピュータを主制御部として備えたもので、各部の制御を行う機能に加えて、通信相手へのメッセージの生成、そのメッセージのメモリへの記憶、および、そのメッセージを通信相手に送出する手段も有している。
【００２４】
また、携帯電話装置１の電源は、バッテリ電源（電池）１８を使用し、電源スイッチ１９を介して各部に供給される。
【００２５】
図４は前記無線送信装置２の構成図である。
同図に示すように、無線送信装置２は、携帯電話装置１に送信するための送信回路４３と送信アンテナ４２を備えると共に、マイクロコンピュータを内蔵し、各部の制御を行う制御回路４４と、応答情報等を記憶する記憶回路４５と、情報入力のための入力器４７と、動作状態を表示するＬＥＤ表示器４６等とから構成される。また、無線送信装置２の電源は、電池４８を使用し、電源スイッチ４９を介して各部に供給される。
【００２６】
図５は無線送信装置２から送信される情報フォーマットの構成図である。
無線送信装置２は無線伝送により情報を送信する。無線伝送による情報は、全部で７４４ｂｉｔで、プリアンブル３１と、同期情報３２と、区別情報３３と、識別情報３４と、制御情報３５とにより構成される。
【００２７】
無線送信装置２からの情報伝送は、情報伝送単位を８ｂｉｔとし、そのうち最初の２ｂｉｔを“１”，“０”のスタートビットに割り当てる。これは、８ｂｉｔごとに復調時の同期を取ることに使用する。従って、８ｂｉｔのうち有効な情報は、６ｂｉｔである。
【００２８】
（１）プリアンブル３１は、情報の伝送を目的とするものではなく、単に受信電波の検出ができればよいので、“１”，“０”の２ｂｉｔの繰り返しパターンからなる６００ｂｉｔで構成される。後述するように、携帯電話装置１は、その電池１８の消耗を低減するために、間欠受信動作をしているので、この間欠動作のタイミングに受信信号が検出されるように、送信側で、ある一定時間の連続した送信が必要になる。
【００２９】
（２）同期情報３２は、８ｂｉｔの情報で構成され、４つの同一の同期情報３２が連続する。これは、プリアンブル３１に続いて、８ｂｉｔの情報伝送単位に同期をとるために、無線送信装置２に共通に定めたコードである。
【００３０】
（３）区別情報３３は、８ｂｉｔの情報で構成される。これは、区別情報３３に続く識別情報３４の開始を認識するために、無線送信装置２に共通に定めたコードである。
【００３１】
（４）識別情報３４は、１６ｂｉｔの情報で構成され、４つの同一の識別情報３４が連続する。これは、無線送信装置２を個別に認識するために、無線送信装置２に個別に定めたコードで、情報要素としては１２ｂｉｔである。携帯電話装置１おいては、この識別情報３４を保持する手段として、記憶回路１２の一部を使用する。また、この識別情報は３４は、その内容を変更することができる。すなわち、使用者は、使用する無線送信装置２の識別番号を、携帯電話装置１の入力器１３から入力して、識別番号を変更することができる。
【００３２】
入力された内容は、制御回路１０で識別情報３４に変換して、記憶回路１２に記憶する。さらに、入力された識別番号は、ＬＣＤ表示器１４で確認することができる。こうすることにより、携帯電話装置１が複数存在していても、識別番号をその都度それぞれ設定することにより、自動的に切り替える携帯電話装置１を択一的に選択できる。
【００３３】
さらに、識別情報としては、携帯電話装置１が個別に有する呼出符号や製造番号等の固有情報、またはその一部を、使用することもできる。
【００３４】
（５）制御情報３５は、８ｂｉｔの情報で構成され、５つの同一の制御情報３５が連続する。これは、携帯電話装置１の応答動作を制御するために、無線送信装置２に共通に定めたコードで、情報要素としては６ｂｉｔである。
【００３５】
表１に示すように、携帯電話装置１は、応答モードとして８種類まで選択可能である。また、具体的な応答メッセージの例は、表２に示すように、着信の際に応答しづらい場面を想定してあり、応答モード１〜３は発信相手からのメッセージも録音するモードである。また、応答モード４〜６は応答専用モードである。
【００３６】
【表１】
0003857390.tif 000002
【００３７】
【表２】
0003857390.tif 000003
【００３８】
本実施形態では、これらを動作させるための情報として、６ｂｉｔの情報要素で構成される制御情報３５のうち、３ｂｉｔを応答モードの切り替え用に符号化している。
【００３９】
また、送信する応答モードの種類は、無線送信装置２の入力器４７の操作によって、任意に選択可能である。
【００４０】
次に、携帯電話装置１の動作を、図６の動作フローを用いて説明する。
携帯電話装置１は、スタンバイモードと自動認識モードを持つ。携帯電話装置１は、電源スイッチ１９が投入された後に、初期化処理を行い、スタンバイモードに移行する。
【００４１】
スタンバイモードは、携帯電話装置１の動作タイミングを決めるもので、携帯電話装置１は、７５０ミリ秒間隔の間欠受信動作を行い、携帯電話装置１の電池１８の消耗を極力低減している。携帯電話装置１の制御回路１０は、７００ミリ秒のタイマー機能を設定して、その他の機能を停止する。タイマーがタイムアップすると、携帯電話装置１は自動認識モードに移行する。
【００４２】
自動認識モードでは、無線送信装置２から送信される伝送情報の内容により、携帯電話装置１の応答モードが切り替わる。
【００４３】
（１）プリアンブル検出では、５０ミリ秒の受信動作を行い、“１”，“０”の２ｂｉｔの繰り返しパターンを１２ｂｉｔ連続して検出したときに、プリアンブル検出と認識する。５０ミリ秒以内に“１”，“０”の２ｂｉｔの繰り返しパターンを１２ｂｉｔ連続して検出できないときは、スタンバイモードへ移行する。また、検出時には、情報伝送の情報伝送単位が８ｂｉｔ毎に復調時の同期を取りながら、受信電波を復調し情報を取り出す。
【００４４】
ここで、本実施形態における無線送信装置２の送信回路４３と携帯電話装置１の受信回路４１の動作タイミングを、図７を用いて説明する。
【００４５】
図７は、その横軸に時間経過、縦軸に動作を示している。受信電波がない（送信回路４３がスタンバイの）場合、プリアンブル３１を検出できないので、携帯電話装置１は、５０ミリ秒の受信動作と７００ミリ秒のスタンバイとの間欠受信動作を行う。
【００４６】
無線送信装置２の送信回路４３が送信動作になり、プリアンブル３１を送出しているときに、携帯電話装置１の受信回路４１が受信動作になって、プリアンブル３１を検出できれば、その後の情報も受信することができる。従って、プリアンブル３１が送出されている時間は、間欠受信動作の周期よりも長くなければならない。ここでは、前述したように、プリアンブル３１を６００ｂｉｔで構成し、電送速度を５１２ｂｐｓとしているので、プリアンブル３１が送出されている時間は、１秒以上あり、間欠受信動作の周期から外れることはない。また、プリアンブル３１を検出することができれば、携帯電話装置１は、その後の情報を受信するために、情報の受信が完了するまで受信動作の時間を延長する。
【００４７】
（２）同期情報検出では、４つの連続して送出される同期情報３２のうち１回、同期情報３２を検出したときに、同期情報検出と認識する。１回も同期情報３２を検出できないときは、スタンバイモードへ移行する。
【００４８】
（３）区別情報検出では、８ｂｉｔの区別情報３３のうち、任意６ｂｉｔ以上があらかじめ定められた区別情報３３と一致したときに、区別情報検出と認識する。任意６ｂｉｔ以上一致する区別情報３３を検出できないときは、スタンバイモードへ移行する。
【００４９】
（４）識別情報検出では、４つの連続して送出される識別情報３４のうち、いづれか１つが携帯電話装置１の記憶回路１２に記憶した識別情報３４と一致したときに、識別情報検出と認識する。識別情報３４を検出できないか、いづれも記憶回路１２に記憶した識別情報３４と一致しないときは、スタンバイモードへ移行する。
【００５０】
（５）制御情報検出では、５つの連続して送出される制御情報３５のうち、いづれか３つ以上の一致する制御情報３５を検出したときに、制御情報検出と認識する。３つ以上の一致する制御情報３５を検出できないときは、スタンバイモードへ移行する。
【００５１】
（６）制御情報処理では、制御情報３５にしたがって、前記の表１に示す内容の通りに、携帯電話装置１の応答モードを切り替える。制御情報の処理が終了したら、スタンバイモードへ移行する。
【００５２】
上述したように、本実施形態では、使用者が無線送信装置２のある場所の近くに携帯電話装置１を移動させると、自動的にその場所に適した応答モードに切り替わり、携帯電話装置１に着信があった場合、使用者に代わって携帯電話装置１の内部に格納された応答メッセージが送出され、かけた相手は携帯電話使用者の状況が把握可能となる。さらに、携帯電話装置１側に録音機能を有することにより、かけた相手は用件の内容を録音しておくことができる。
【００５３】
次に、本発明における第２実施形態について、図８を用いて説明する。図８は、本発明の第２実施形態における、携帯電話装置１のハンドオフ検出の動作フローである。
【００５４】
電源投入後、制御回路１０では、タイマーを初期化し、ハンドオフの検出を行う。ハンドオフの検出は、例えば、待ち受け時の１回目のゾーン移行処理後、定時間タイマー（たとえば３分）を起動し、その時間内のハンドオフの回数をメモリーに記憶する。
【００５５】
以降、ゾーン移行を行うたびにメモリーに回数を記憶する。タイムアップしたらカウンタをチェックし、ハンドオフの回数が予め設定された閾値以上であれば、応答モードを高速移動中のものに切り替える。ハンドオフの回数が予め設定された閾値未満であれば、カウンタをクリアし、再びハンドオフの検出を行う。
【００５６】
上述したような制御を行うことにより、高速移動中であることを携帯電話装置１が自動認識して、自動的にその場合に適した応答モードに切り替わり、携帯電話装置１に着信があった場合、使用者に代わって携帯電話装置１の内部に格納された応答メッセージが送出され、かけた相手は携帯電話使用者の状況が把握可能となる。
【００５７】
次に、本発明における第３実施形態について、図９〜図１１を用いて説明する。図９は、本発明の第３実施形態における、携帯電話装置１の移動速度検出の動作フローである。
【００５８】
電源投入後、制御回路１０では、タイマーを初期化し、移動速度の検出を行う。移動速度の検出は、例えば、待ち受け時に基地局からの受信周波数（ｆr ）と本来のキャリア周波数（ｆc ）との差（ｆd ）から、移動速度を算出する。この算出の手法は、以下の通りである。
【００５９】
ｆd＝｜ｆc−ｆr｜
ｆd＝移動速度／受信周波数の波長（λ）
λ＝ｃ／ｆc
よって、
移動速度＝ｆd／ｆc＊ｃ（光速）
となる。
【００６０】
タイムアップしたらカウンタをチェックし、移動速度が予め設定された閾値以上であれば、応答モードを高速移動中のものに切り替える。また、移動速度が予め設定された閾値未満であれば、カウンタをクリアし、再び移動速度の検出を行う。
【００６１】
図１０は、本実施形態における携帯電話装置１の内部の構成図である。図２に示し前述した第１実施形態の携帯電話装置１の構成図に対し、本実施形態では、送受信回路４と変復調回路５の間に、フェージングピッチ回路２０を追加している。
【００６２】
図１１は、このフェージングピッチ検出回路２０の詳細図である。
基地局からの受信電波は、送受信回路４を通り、フェージングピッチ回路２０内のＡ／Ｄ変換部２１でアナログ信号に変換された後、受信レベルデータが閾値レベルデータと比較器２２で比較され、この比較結果の２値信号がカウンター２３に送られる。また、制御回路１０から定期的に送られる初期化信号により、カウンター２３を訂数する。カウンター２３内の閾値を交差する間隔が短い場合、つまり、フェージングピッチが上がると、カウンター２３からキャリー信号が制御回路１０に送られ、自動的に応答モードを高速移動中のものに切り替える。
【００６３】
上述したような制御を行うことにより、高速移動中であることを携帯電話装置１が自動認識して、自動的にその場合に適した応答モードに切り替わり、携帯電話装置１に着信があった場合、使用者に代わって携帯電話装置１の内部に格納された応答メッセージが送出され、かけた相手は携帯電話使用者の状況が把握可能となる。
【００６４】
次に、本発明における第４実施形態について、図１２を用いて説明する。図１２は、本発明の第４実施形態における、携帯電話装置１の騒音パターン検出の動作フローである。
【００６５】
本実施形態では、待ち受け中にＤＳＰを駆動する必要があるため、待ち受け時間を劣化させてしまう。そこで、タイマーを初期化したのち、カーバッテリーから携帯電話装置１に給電するためのカーチャージャーが接続状態にあるかどうかをチェックし、接続状態であれば、そのまま自動車内であると判断し、応答モードを自動的に高速移動中のものに切り替える。
【００６６】
接続されていない場合は、待ち受け中に音声コーデック用ＤＳＰである、ＳＰ−ＣＯＤ７を駆動し、背景雑音を分析し、記憶してある音声パターンとの比較を行い、一致したら自動車内にいると判断し、応答モードを高速移動中のものに切り替える。
【００６７】
次に、本発明における第５実施形態について、図１３を用いて説明する。図１３は、本発明の第５実施形態における、携帯電話装置１の騒音パターン検出と移動速度検出とを組み合わせた動作フローである。
【００６８】
本実施形態は、前記第３実施形態で説明した移動速度の検出方法と、前記第４実施形態で説明した騒音パターンの検出とを組み合わせてたものである。したがって、例えば渋滞中のように、高速移動中でなくても自動車内に携帯電話装置１があることを検知し、応答モードを自動的に高速移動中のものに切り替えることができる。
【００６９】
なお、上記の第５実施形態以外にも、本発明の前述した第１〜第４実施形態を適宜に組み合わせて、最適な応答モードに切り替える制御を行うことが可能であることは、勿論である。
【００７０】
【発明の効果】
以上のように本発明によれば、携帯電話装置の使用者が直ちに電話にでられない状況を、使用者が自ら操作して応答モードを切り替えずとも、携帯電話装置側で状況を判断し、自動的に応答モードを選択し、携帯電話装置に発信相手から着信があった場合、この発信者に使用者の状況を通知することができる。
【００７１】
また、携帯電話装置の使用者が、車両などを運転中の場合、運転操作に支障をきたすことなく、通信相手に使用者の状況を知らせることにより、適切な応答ができる。
【００７２】
また、携帯電話装置の使用が制限（電磁波の影響による制限でなく、携帯電話使用のマナーによる制限）されている場所や、会議の場でも、自動的にその状況に合わせた応答モードに切り替えるので、同様に、発信相手に適切な応答ができる。
【図面の簡単な説明】
【図１】本発明の第１実施形態に係る携帯電話装置と無線送信装置との関係を示す説明図である。
【図２】本発明の第１実施形態による携帯電話装置の構成を示すブロック図である。
【図３】本発明の第１実施形態による携帯電話装置の外観の１例を示す外観説明図である。
【図４】本発明の第１実施形態による無線送信装置の構成を示すブロック図である。
【図５】本発明の第１実施形態における、無線送信装置の情報伝送フォーマットを示す説明図である。
【図６】本発明の第１実施形態における、携帯電話装置の動作フローを示すフローチャート図である。
【図７】本発明の第１実施形態における、無線送信装置の送信回路と携帯電話装置の受信回路の動作タイミングを示す説明図である。
【図８】本発明の第２実施形態における、携帯電話装置のハンドオフ検出の動作フローを示すフローチャート図である。
【図９】本発明の第３実施形態における、携帯電話装置の移動速度検出の動作フローを示すフローチャート図である。
【図１０】本発明の第３実施形態に係る携帯電話装置の構成を示すブロック図である。
【図１１】図１０中のフェージングピッチ検出回路の構成を示すブロック図である。
【図１２】本発明の第４実施形態における、携帯電話装置の騒音パターン検出の動作フローを示すフローチャート図である。
【図１３】本発明の第５実施形態における、携帯電話装置の騒音パターン検出と移動速度検出を組み合わせた動作フローを示すフローチャート図である。
【符号の説明】
１  携帯電話装置
２  無線送信装置
３  アンテナ
４  無線送受信回路
５  デジタル変復調回路
６  誤り訂正符号復号回路（ＣＨ−ＣＯＤ）
７  音声符号復号回路（ＳＰ−ＣＯＤ）
８  受話器（スピーカ）
９  送話器（マイク）
１０  制御回路
１１  サウンダ
１２  記憶回路
１３  入力器
１４  ＬＣＤ表示器（表示器）
１６  ファンクションキー
１８  バッテリ電源（電池）
１９  電源スイッチ
２０  フェージングピッチ検出回路
２１  Ａ／Ｄ変換部
２２  比較器
２３  カウンター
３１  プリアンブル
３２  同期情報
３３  区別情報
３４  識別情報
３５  制御情報
４１  受信回路
４２  アンテナ
４３  送信回路
４４  制御回路
４５  記憶回路
４６  ＬＥＤ表示器
４７  入力器
４８  電池
４９  電源スイッチ
５０（５０ａ，５０ｂ，５０ｃ）  無線基地局
５１（５１ａ，５１ｂ，５１ｃ）  無線電搬エリア
６１  自動車
７０  有線回線
８０  交換局
【図１】
0003857390.tif 000004
【図２】
0003857390.tif 000005
【図３】
0003857390.tif 000006
【図４】
0003857390.tif 000007
【図５】
0003857390.tif 000008
【図６】
0003857390.tif 000009
【図７】
0003857390.tif 000010
【図８】
0003857390.tif 000011
【図９】
0003857390.tif 000012
【図１０】
0003857390.tif 000013
【図１１】
0003857390.tif 000014
【図１２】
0003857390.tif 000015
【図１３】
0003857390.tif 000016